(57)【特許請求の範囲】
【請求項１】
電子ビーム描画装置の電子銃に設けられた電子源のクリーニング方法であって、
電子銃室内に不活性ガスを供給する工程と、
前記電子源から電子を放出して前記不活性ガスをイオン化し、生成されたイオンのイオン衝撃により前記電子源に付着した不純物を除去する工程と、
前記電子銃の電子ビーム放射特性の変化に基づいて前記不活性ガスの供給を停止する工程と、
を備え、
エミッション電流が一定となるように、前記電子銃のウェネルトに印加されるバイアス電圧を制御し、前記バイアス電圧の変動量が所定の基準値以下となった場合に前記不活性ガスの供給を停止することを特徴とする電子源のクリーニング方法。
【請求項２】
電子源を含むカソードと、
接地されたアノードと、
前記カソードと前記アノードとの間に配置されたウェネルトと、
前記カソードと前記アノードとの間に加速電圧を印加する加速電圧電源と、
前記加速電圧電源の陰極と前記ウェネルトとの間に電気的に接続されるように配置され、前記ウェネルトにバイアス電圧を印加するバイアス電圧電源と、
エミッション電流を検出する電流計と、
電子銃室に不活性ガスを供給するガス供給部と、
前記電子源から電子を放出させて、前記ガス供給部から供給された前記不活性ガスをイオン化し、生成されたイオンのイオン衝撃により前記電子源に付着した不純物を除去すると共に、前記エミッション電流が一定となるように前記バイアス電圧を制御し、前記バイアス電圧の変動量が所定の基準値以下となった場合に前記不活性ガスの供給を停止する制御部と、
前記電子源から放出された電子を前記加速電圧により加速した電子ビームを用いて、試料にパターンを描画する描画部と、
を備える電子ビーム描画装置。
【請求項３】
前記描画部は、前記電子ビームの照射を受けてマルチビームを形成する複数の開口部が形成されたアパーチャ部材を有することを特徴とする請求項２に記載の電子ビーム描画装置。
【発明の詳細な説明】
【技術分野】
【０００１】
本発明は、電子源のクリーニング方法及び電子ビーム描画装置に関する。
【背景技術】
【０００２】
ＬＳＩの高集積化に伴い、半導体デバイスの回路線幅は年々微細化されてきている。半導体デバイスへ所望の回路パターンを形成するためには、縮小投影型露光装置を用いて、石英上に形成された高精度の原画パターン（マスク、或いは特にステッパやスキャナで用いられるものはレチクルともいう。）をウェーハ上に縮小転写する手法が採用されている。高精度の原画パターンは、電子ビーム描画装置によって描画され、所謂、電子ビームリソグラフィ技術が用いられている。
【０００３】
電子ビームは、電子ビーム描画装置の電子銃を構成する電子源から放出される熱電子が加速電圧によって加速されることで試料に照射される。電子銃では、輝度を向上させるために、電子源を構成する材料の表面を、その材料より仕事関数の大きい材料で被覆して、電子源からの電子の放出面積を削減する技術が知られている。例えば、電子源を構成する六ホウ化ランタン（ＬａＢ６）の表面をカーボン（Ｃ）で被覆し、六ホウ化ランタンの露出した先端部から電子が放出されるようになっている。
【０００４】
電子銃は、高電圧が印加されると、アノードやウェネルトの表面におけるバリや傷等の突起部、塵埃等の付着物などの放電要因に起因した異常放電が発生することがある。このような異常放電の発生頻度は、新しい電子銃の取り付け後、交換後、あるいは電子銃のメンテナンス後において高い。このような異常放電の発生を防止するために、新しい電子銃の取り付け後、交換後、あるいは電子銃のメンテナンス後に、電子銃のコンディショニング処理（電極放電加工）を施すことが一般的に行われている。
【０００５】
電子銃のコンディショニング処理では、処理中にウェネルトとカソードとの間で放電が発生し、カーボンを含む不純物（コンタミ）が電子源の先端部表面に付着することがあった。また、電子銃の下方には、タンタルやタングステン等で構成された電流制限アパーチャが設けられており、電子銃から電子ビームを放出した際に、この電流制限アパーチャからガスが発生し、発生したガスにより電子源の先端部表面に不純物が付着することがあった。
【０００６】
電子源の先端部表面に不純物が付着して汚染されると、電子ビームが放出され難くなり、電子ビーム放射特性が劣化する。従来、このような不純物を除去するための加熱処理が行われていたが、加熱処理による不純物の除去には長時間（十数時間〜数十時間）を要し、その間は描画装置の稼働を停止させるため、稼働率低下を生じさせるという問題があった。
【先行技術文献】
【特許文献】
【０００７】
【特許文献１】特開平１−１３２０３６号公報
【特許文献２】特公昭５９−８９４６号公報
【特許文献３】特開平５−１７１４２３号公報
【発明の概要】
【発明が解決しようとする課題】
【０００８】
本発明は、上記従来の実状に鑑みてなされたものであり、電子源に付着した不純物を効率良く除去し、電子ビーム放射特性の劣化及び描画装置の稼働率低下を防止する電子源のクリーニング方法及び電子ビーム描画装置を提供することを課題とする。
【課題を解決するための手段】
【０００９】
本発明の一態様による電子源のクリーニング方法は、電子ビーム描画装置の電子銃に設けられた電子源のクリーニング方法であって、電子銃室内に不活性ガスを供給する工程と、前記電子源から電子を放出して前記不活性ガスをイオン化し、生成されたイオンのイオン衝撃により前記電子源に付着した不純物を除去する工程と、前記電子銃の電子ビーム放射特性の変化に基づいて前記不活性ガスの供給を停止する工程と、を備えるものである。
【００１０】
本発明の一態様による電子源のクリーニング方法は、エミッション電流が一定となるように、前記電子銃のウェネルトに印加されるバイアス電圧を制御し、前記バイアス電圧の変動量が所定の基準値以下となった場合に前記不活性ガスの供給を停止することを特徴とする。
【００１１】
本発明の一態様による電子源のクリーニング方法は、前記電子銃のウェネルトに印加されるバイアス電圧を一定とし、エミッション電流の変動量が所定の基準値以下となった場合に前記不活性ガスの供給を停止することを特徴とする。
【００１２】
本発明の一態様による電子ビーム描画装置は、電子源を含むカソードと、接地されたアノードと、前記カソードと前記アノードとの間に配置されたウェネルトと、前記カソードと前記アノードとの間に加速電圧を印加する加速電圧電源と、前記加速電圧電源の陰極と前記ウェネルトとの間に電気的に接続されるように配置され、前記ウェネルトにバイアス電圧を印加するバイアス電圧電源と、エミッション電流を検出する電流計と、電子銃室に不活性ガスを供給するガス供給部と、前記電子源から電子を放出させて、前記ガス供給部から供給された前記不活性ガスをイオン化し、生成されたイオンのイオン衝撃により前記電子源に付着した不純物を除去すると共に、前記バイアス電圧又は前記エミッション電流の変化に基づいて前記不活性ガスの供給を停止する制御部と、前記電子源から放出された電子を前記加速電圧により加速した電子ビームを用いて、試料にパターンを描画する描画部と、を備えるものである。
【００１３】
本発明の一態様による電子ビーム描画装置において、前記描画部は、前記電子ビームの照射を受けてマルチビームを形成する複数の開口部が形成されたアパーチャ部材を有することを特徴とする。
【発明の効果】
【００１４】
本発明によれば、電子源に付着した不純物を効率良く除去し、電子ビーム放射特性の劣化及び描画装置の稼働率低下を防止することができる。
【図面の簡単な説明】
【００１５】
【図１】本発明の実施形態による電子ビーム描画装置の全体構成を示すブロック図である。
【図２】同実施形態による電子銃の概略構成図である。
【図３】同実施形態による電子源のクリーニング方法を説明するフローチャートである。
【図４】カソード温度とバイアス電圧との関係を示すグラフである。
【図５】バイアス電圧とエミッション電流との関係を示すグラフである。
【発明を実施するための形態】
【００１６】
以下、本発明の実施の形態を図面に基づいて説明する。
【００１７】
図１は、本実施形態による電子ビーム描画装置の概略図である。ここでは、電子ビーム描画装置の一例としてマルチ電子ビームを用いた構成について説明する。
【００１８】
図１に示す描画装置１は、マスクやウェーハ等の対象物に電子ビームを照射して所望のパターンを描画する描画部１０と、描画部１０の動作を制御する制御部５０とを備える。描画部１０は、電子ビーム鏡筒１２及び描画室３０を有している。
【００１９】
電子ビーム鏡筒１２内には、電子銃１４、照明レンズ１６、アパーチャ部材１８、ブランキングプレート２０、縮小レンズ２２、制限アパーチャ部材２４、対物レンズ２６、及び偏向器２８が配置されている。また、電子銃１４と照明レンズ１６との間には図示しない電流制限アパーチャが設けられている。
【００２０】
描画室３０内には、ＸＹステージ３２が配置される。ＸＹステージ３２上には、描画対象基板となるマスクブランク３４が載置されている。対象物として、例えば、ウェーハや、ウェーハにエキシマレーザを光源としたステッパやスキャナ等の縮小投影型露光装置や極端紫外線露光装置を用いてパターンを転写する露光用のマスクが含まれる。また、描画対象基板には、例えば、既にパターンが形成されているマスクも含まれる。例えば、レベンソン型マスクは２回の描画を必要とするため、１度描画されマスクに加工された物に２度目のパターンを描画することもある。
【００２１】
制御部５０は、制御計算機５２、偏向制御部５４、ステージ制御部５６、及び電子銃制御部５８を有している。制御計算機５２、偏向制御部５４、ステージ制御部５６、及び電子銃制御部５８は、バスを介して互いに接続されている。
【００２２】
電子銃１４から放出された電子ビーム４０は、電流制限アパーチャにより所望の電流密度分布を有するビームに成形されると、照明レンズ１６によりほぼ垂直にマルチビーム成形用のアパーチャ部材１８全体を照明する。このアパーチャ部材１８には、穴（開口部）が所定の配列ピッチでマトリクス状に形成されている。電流制限アパーチャを通過した電子ビーム４０は、アパーチャ部材１８のすべての穴が含まれる領域を照明する。これらの複数の穴を電子ビーム４０の一部がそれぞれ通過することで、図１に示すようなマルチビーム４０ａ〜４０ｅが形成されることになる。
【００２３】
ブランキングプレート２０には、アパーチャ部材１８の各穴の配置位置に合わせて通過孔が形成され、各通過孔には、対となる２つの電極からなるブランカが、それぞれ配置される。各通過孔を通過する電子ビーム４０ａ〜４０ｅは、それぞれ独立に、ブランカに印加される電圧によって偏向される。かかる偏向によってブランキング制御される。このように、複数のブランカが、アパーチャ部材１８の複数の穴を通過したマルチビームのうち、それぞれ対応するビームのブランキング偏向を行う。
【００２４】
ブランキングプレート２０を通過したマルチビーム４０ａ〜４０ｅは、縮小レンズ２２によって縮小され、制限アパーチャ部材２４に形成された中心の穴に向かって進む。ここで、ブランキングプレート２０のブランカにより偏向された電子ビームは、制限アパーチャ部材２４の中心の穴から位置がはずれ、制限アパーチャ部材２４によって遮蔽される。一方、ブランキングプレート２０のブランカによって偏向されなかった電子ビームは、制限アパーチャ部材２４の中心の穴を通過する。
【００２５】
制限アパーチャ部材２４は、ブランキングプレート２０のブランカによってビームＯＦＦの状態になるように偏向された各ビームを遮蔽する。そして、ビームＯＮになってからビームＯＦＦになるまでに制限アパーチャ部材２４を通過したビームが、１回分のショットのビームとなる。制限アパーチャ部材２４を通過したマルチビーム４０ａ〜４０ｅは、対物レンズ２６により焦点が合わされ、所望の縮小率のパターン像となる。制限アパーチャ部材２４を通過した各ビーム（マルチビーム全体）は、偏向器２８によって同方向にまとめて偏向され、各ビームのマスクブランク３４上のそれぞれの照射位置に照射される。
【００２６】
ＸＹステージ３２が連続移動している時、ビームの照射位置がＸＹステージ３２の移動に追従するように偏向器２８によって制御される。ＸＹステージ３２の移動はステージ制御部５６により行われる。
【００２７】
制御計算機５２は、描画データに対し複数段のデータ変換処理を行って装置固有のショットデータを生成する。ショットデータには、各ショットの照射量及び照射位置座標等が定義される。
【００２８】
制御計算機５２は、ショットデータに基づき各ショットの照射量を偏向制御部５４に出力する。偏向制御部５４は、入力された照射量を電流密度で割って照射時間ｔを求める。そして、偏向制御部５４は、対応するショットを行う際、照射時間ｔだけブランカがビームＯＮするように、ブランキングプレート２０の対応するブランカに偏向電圧を印加する。
【００２９】
また、制御計算機５２は、ショットデータが示す位置（座標）に各ビームが偏向されるように、偏向位置データを偏向制御部５４に出力する。偏向制御部５４は、偏向量を演算し、偏向器２８に偏向電圧を印加する。これにより、その回にショットされるマルチビームがまとめて偏向される。
【００３０】
図２は、電子ビーム４０を放出する電子銃１４、及び電子銃１４に接続された電子銃制御部５８の概略構成を示す。電子銃１４は電子ビーム鏡筒１２の上方部に配設され、カソード６２、ウェネルト６８、及びアノード６９を収納する電子銃室６０（真空チャンバ）を有する。電子銃制御部５８は、バイアス電圧電源８０、加速電圧電源８２、及び電流計８４を有する。
【００３１】
カソード６２は、六ホウ化ランタン（ＬａＢ６）や、単結晶六ホウ化セリウム（ＣｅＢ６）、単結晶炭化ハフニウム（ＨｆＣ）、焼結ＬａＢ６、焼結ＣｅＢ６、焼結ＨｆＣ、焼結タングステン−バリウム−酸素−Ａｌ（Ｗ−Ｂａ−Ａｌ−Ｏ）、焼結スカンデート（Ｂａ−Ｓｃ−Ｗ−Ｏ）などからなる電子源６４と、電子源６４を挟持する一対の電極６６、６６（加熱ヒータ）とを有する。図示しない電源により電極６６、６６間に電圧が印加されると、電子源６４が加熱されて高温の状態となるように構成されている。電子源６４は表面がカーボンで覆われ、先端部（下端部）が露出している。
【００３２】
ウェネルト６８は、カソード６２とアノード６９との間に配置され、電子源６４から放出される電子ビーム４０が通過する開口部を備える。アノード６９は接地され、電位がグランド電位に設定されている。
【００３３】
加速電圧電源８２の陰極（−）側がカソード６２に接続される。加速電圧電源８２の陽極（＋）側は、アノード６９に接続されると共に接地（グランド接続）されている。また、加速電圧電源８２の陰極（−）側は、バイアス電圧電源８０の陽極（＋）側にも分岐して接続されている。バイアス電圧電源８０の陰極（−）側は、ウェネルト６８に接続されている。電流計８４は、加速電圧電源８２の陽極（＋）とアノード６９（グランド）との間に直列に接続されている。
【００３４】
加速電圧電源８２は、カソード６２とアノード６９との間に加速電圧を印加する。バイアス電圧電源８０は、カソード６２とウェネルト６８との間にバイアス電圧を印加する。
【００３５】
加速電圧電源８２からカソード６２に負の加速電圧が印加され、バイアス電圧電源８０からウェネルト６８に負のバイアス電圧が印加された状態で電子源６４が加熱されると、電子源６４から電子が放出され、放出された電子（電子群）は加速電圧によって加速されて電子ビーム４０となってアノード６９に向かって進む。そして、アノード６９に設けられた開口部を電子ビーム４０が通過して、電子銃１４から放出される。これにより、エミッション電流Ｉがカソード６２とアノード６９との間に流れる。
【００３６】
エミッション電流Ｉは、電流計８４により計測される。制御計算機５２は、電流計８４の計測結果を取得する。また、制御計算機５２は、バイアス電圧電源８０を制御し、バイアス電圧を制御する。
【００３７】
電子銃室６０には、電子銃室６０内に窒素ガスを供給するガス供給管７０の一端側が接続されている。ガス供給管７０の他端側には、図示しないガスボンベが設けられている。ガス供給管７０にはバルブ７２が設けられている。
【００３８】
また、電子銃室６０には、電子銃室６０内のガスを排気するためのガス排気管７４が接続されており、ガス排気管７４にはポンプ７６（真空ポンプ）が設けられている。
【００３９】
バルブ７２の開閉及びポンプ７６の動作は制御計算機５２により制御されるようになっている。
【００４０】
電子銃１４は、図２に示すように電子源６４が１つ設けられたシングル電子銃でもよいし、回転体に複数の電子源６４が設けられたタレット電子銃であってもよい。
【００４１】
新しい電子銃１４の取り付け後や、電子銃１４のメンテナンス後に、電子銃１４のコンディショニング処理が施される。このコンディショニング処理において、ウェネルト６８とカソード６２との間で放電が発生すると、カーボンを含む不純物が電子源６４の先端部表面に付着することがある。また、電子銃１４から電子ビームを放出した際に、電子銃１４の下方に配設されたタングステンやタンタル等の金属からなる電流制限アパーチャが加熱され、金属材料中に内蔵されていたガスが放出し（脱ガス）、発生したガスにより電子源６４の先端部表面に不純物が付着することがある。
【００４２】
電子源６４の先端部表面に不純物が付着して汚染されると、電子ビーム放射特性が劣化する。このような不純物を効率良く除去するクリーニング方法を、図３に示すフローチャートを用いて説明する。
【００４３】
電子源６４のクリーニングでは、まず、電子ビーム鏡筒１２及び電子銃室６０の内部を高真空にし、電極６６、６６間に電圧を印加し、電子源６４が所定温度となるように加熱する（ステップＳ１０２）。さらに、加速電圧電源８２を用いて、カソード６２とアノード６９との間に加速電圧を印加し（ステップＳ１０４）、バイアス電圧電源８０を用いてカソード６２とウェネルト６８との間にバイアス電圧（引き出し電圧）を印加する（ステップＳ１０６）。例えば、加速電圧は５０ｋＶ程度である。制御計算機５２は、電流計８４の計測結果を取得し、エミッション電流Ｉが所定値（一定値）となるようにバイアス電圧を制御する。加熱された電子源６４から熱電子が出射し、加速電圧により加速されて電子ビームとして放出される。
【００４４】
次に、バルブ７２を開き、ガス供給管７０を介して電子銃室６０内に窒素ガスを導入する（ステップＳ１０８）。導入された窒素ガスは分子に電子ビームが衝突することでイオン化（電離）し、窒素イオンのイオン衝撃により電子源６４に付着している不純物が徐々に除去される。窒素ガスは、電子銃室６０内の圧力が０．０１Ｐａ以上となるように一定の流量で導入される。
【００４５】
不純物の除去に伴い、電子銃１４の電子ビーム放射特性は改善される。図４は、エミッション電流Ｉを一定とした時の、電子源６４の温度とバイアス電圧との関係を示すグラフである。図中破線は電子ビーム放射特性の改善前に対応し、実線は改善後に対応する。
【００４６】
図４に示すように、エミッション電流Ｉ及び電子源６４の温度を一定とした場合、電子源６４の表面から不純物が除去されると、バイアス電圧は増加する。電子源６４の表面に不純物が存在し、イオン衝撃による不純物の除去が続いている間は、バイアス電圧の変動（増加）は続く。電子源６４の表面から不純物が十分に除去されると、バイアス電圧の変動（増加）が収まる。
【００４７】
本実施形態では、エミッション電流Ｉ及び電子源６４の温度を一定とした場合のバイアス電圧の変動に着目し、電子源６４の表面からの不純物除去処理の終了時点を判定する。
【００４８】
制御計算機５２は、エミッション電流Ｉが一定となるようにバイアス電圧を制御すると共に、バイアス電圧の変動量をモニタする。制御計算機５２は、バイアス電圧の変動量が所定の基準値（例えば０．１Ｖ／分）以下になった場合（ステップＳ１１０＿Ｙｅｓ）、電子源６４の表面から不純物が十分に除去されたと判定し、バルブ７２を閉じて窒素ガスの導入を停止する（ステップＳ１１２）。
【００４９】
バイアス電圧の変動量が所定の基準値より大きい場合は（ステップＳ１１０＿Ｎｏ）、電子源６４の表面に不純物が残存しており、イオン衝撃による不純物の除去が続いていると判定し、窒素ガスの導入を継続する。窒素ガスの導入量の上限は、電子銃室６０内の圧力が１Ｐａ程度となる量である。
【００５０】
窒素ガスの導入停止後、ポンプ７６を用いて電子銃室６０から窒素ガスを排出する（ステップＳ１１４）。電子源６４の表面から不純物を除去することで、電子ビーム放射特性の劣化を防止できる。
【００５１】
本実施形態では、イオン衝撃により不純物を除去するため、従来のような加熱処理による不純物除去と比較して、不純物を効率良く除去することができる。また、エミッション電流Ｉを一定とした時のバイアス電圧の変化に基づいて、クリーニング処理の終了時点を判定する。そのため、クリーニング処理を不必要に長く行うことがなく、不純物除去に要する時間を短縮し、描画装置の稼働率低下を防止することができる。例えば、本実施形態によるクリーニング処理によれば、不純物の除去に要する時間を３０分〜３時間程度に抑えることができる。
【００５２】
また、不純物の除去に伴いクリーニング処理を速やかに終了することで、イオン衝撃により電子源６４が削れることを防止することができる。
【００５３】
上記実施形態では、クリーニング処理の終了時点を、エミッション電流Ｉを一定とした時のバイアス電圧の変化に基づいて判定していたが、バイアス電圧を一定とした時のエミッション電流Ｉの変化に基づいて判定してもよい。
【００５４】
図５は、電子源６４の温度を一定とした時の、バイアス電圧とエミッション電流Ｉとの関係を示すグラフである。図中破線は電子ビーム放射特性の改善前に対応し、実線は改善後に対応する。
【００５５】
図５に示すように、バイアス電圧及び電子源６４の温度を一定とした場合、電子源６４の表面から不純物が除去されると、エミッション電流Ｉは増加する。電子源６４の表面に不純物が存在し、イオン衝撃による不純物の除去が続いている間は、エミッション電流Ｉの変動（増加）は続く。電子源６４の表面から不純物が十分に除去されると、エミッション電流Ｉの変動（増加）が収まる。
【００５６】
制御計算機５２は、バイアス電圧が一定となるように制御すると共に、エミッション電流Ｉの変動量をモニタする。制御計算機５２は、エミッション電流の変動量が所定の基準値（例えば０．０１μＡ／分）以下になった場合、電子源６４の表面から不純物が十分に除去されたと判定し、バルブ７２を閉じて窒素ガスの導入を停止する。
【００５７】
このように、バイアス電圧を一定とした時のエミッション電流の変化に基づいて、クリーニング処理の終了時点を判定することで、不純物の除去に伴いクリーニング処理を速やかに終了することができる。
【００５８】
クリーニング処理の終了時点を判定するための電子ビーム放射特性の変化は、エミッション電流を一定とした時のバイアス電圧の変動量、バイアス電圧を一定とした時のエミッション電流の変動量以外のものでもよい。例えば、エミッション電流が流れ始めるバイアス電圧の値の変化でもよい。図５に示すように、不純物の除去に伴い、エミッション電流が流れ始めるバイアス電圧は低下する。制御計算機５２は、エミッション電流が流れ始めるバイアス電圧の値が所定値以下になった場合、電子源６４の表面から不純物が十分に除去されたと判定し、バルブ７２を閉じて窒素ガスの導入を停止する。
【００５９】
イオン衝撃のために電子銃室６０に供給されるガスは窒素ガスに限定されず、アルゴンガス等の他の不活性ガスを用いてもよい。
【００６０】
上記実施形態では、マルチビーム描画装置について説明したが、シングルビームの描画装置でもよい。但し、大電流を必要とするマルチビーム描画装置への適用がより好ましい。また、荷電粒子ビームの一例として、電子ビームを用いた構成について説明したが、荷電粒子ビームは電子ビームに限るものではなく、イオンビーム等の荷電粒子を用いたビームでも構わない。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６２】
１４  電子銃
４０  電子ビーム
５８  電子銃制御部
６０  電子銃室
６２  カソード
６４  電子源
６６  電極
６８  ウェネルト
６９  アノード
７０  ガス供給管
７２  バルブ
７４  ガス排気管
７６  ポンプ
８０  バイアス電圧電源
８２  加速電圧電源
８４  電流計
【図１】
0006439620.tif 000002
【図２】
0006439620.tif 000003
【図３】
0006439620.tif 000004
【図４】
0006439620.tif 000005
【図５】
0006439620.tif 000006